(57)【要約】【課題】分散型電源と配電線との間を確実に遮断する。【解決手段】分散型電源と接続される配電線の第１位置を遮断又は接続するべく開状態又は閉状態となる第１開閉器と、前記第１開閉器を開状態又は閉状態とする開閉制御部と、前記第１開閉器が開状態又は閉状態の何れであるのかを検出する開閉検出部と、を備え、前記開閉制御部は、遮断指示信号に基づいて前記第１開閉器を開状態とし、前記第１開閉器が開状態となった後、前記分散型電源及び前記配電線の第１位置の間となる前記配電線の第２位置を遮断又は接続するべく開状態又は閉状態となる第２開閉器が開状態から閉状態となるまでの間に、前記第１開閉器が開状態であることを前記開閉検出部が検出したときの検出出力に基づいて前記第１開閉器を閉状態とする。【選択図】      図１
2007037224.tif 000002
【特許請求の範囲】
【請求項１】
分散型電源と接続される配電線の第１位置を遮断又は接続するべく開状態又は閉状態となる第１開閉器と、
前記第１開閉器を開状態又は閉状態とする開閉制御部と、
前記第１開閉器が開状態又は閉状態の何れであるのかを検出する開閉検出部と、を備え、
前記開閉制御部は、
遮断指示信号に基づいて前記第１開閉器を開状態とし、
前記第１開閉器が開状態となった後、前記分散型電源及び前記配電線の第１位置の間となる前記配電線の第２位置を遮断又は接続するべく開状態又は閉状態となる第２開閉器が開状態から閉状態となるまでの間に、前記第１開閉器が開状態であることを前記開閉検出部が検出したときの検出出力に基づいて前記第１開閉器を閉状態とする、
ことを特徴とする配電線の遮断制御装置。
【請求項２】
前記分散型電源及び前記第２開閉器は複数設けられ、  
前記遮断制御装置は、前記配電線と前記複数の第２開閉器との間に並列に複数設けられることを特徴とする請求項１に記載の配電線の遮断制御装置。
【請求項３】
前記分散型電源及び前記第２開閉器は、単一のパッケージ内に設けられることを特徴とする請求項１に記載の配電線の遮断制御装置。
【請求項４】
前記開閉制御部は、
前記配電線が供給する電力を元に蓄電する蓄電装置を有し、
前記配電線が電力を供給するときには、前記配電線の電力を電源として動作し、
前記配電線が電力を供給しないときには、前記蓄電装置の電力を電源として動作する、ことを特徴とする請求項１に記載の配電線の遮断制御装置。
【請求項５】
前記開閉制御部は、
前記配電線とは独立した電源を有する、ことを特徴とする請求項１に記載の配電線の遮断制御装置。
【請求項６】
前記遮断指示信号は、前記配電線内を電力とともに送信可能な信号であり、
前記開閉制御部は、前記配電線内の電力以外の前記遮断指示信号を分離するＰＬＣ(Power Line Communication)モデムを有する、ことを特徴とする請求項１に記載の配電線の遮断制御装置。
【請求項７】
配電線と接続される分散型電源と、
前記配電線の第１位置を遮断又は接続するべく開状態又は閉状態となる第１開閉器と、
前記分散型電源及び前記配電線の第１位置の間となる前記配電線の第２位置を遮断又は接続するべく開状態又は閉状態となる第２開閉器と、
前記第１開閉器を開状態又は閉状態とする第１開閉制御部と、
前記第２開閉器を開状態又は閉状態とする第２開閉制御部と、
前記第１開閉器及び前記第２開閉器が開状態又は閉状態の何れであるのかを検出する開閉検出部と、を備え、
前記第１開閉制御部は、遮断指示信号に基づいて前記第１開閉器を開状態とし、
前記第２開閉制御部は、前記第１開閉器が開状態であることを前記開閉検出部が検出したときの検出出力に基づいて、前記第２開閉器を開状態とし、
前記第１開閉制御部は、前記第１開閉器及び前記第２開閉器がともに開状態であることを前記開閉検出部が検出したときの検出出力に基づいて、前記第１開閉器を閉状態とし、
前記第２開閉制御部は、前記配電線が電力を供給するとともに前記第１開閉器が閉状態であることを前記開閉検出部が検出したときの検出出力に基づいて、前記第２開閉器を閉状態とする、
ことを特徴とする配電線の遮断制御装置。
【請求項８】
前記遮断制御装置は、前記配電線に並列に複数設けられることを特徴とする請求項７に記載の配電線の遮断制御装置。
【請求項９】
前記遮断制御装置を構成する前記分散型電源、前記第２開閉器、及び前記第２開閉制御部は、単一のパッケージ内に設けられることを特徴とする請求項７に記載の配電線の遮断制御装置。
【請求項１０】
前記第２開閉器に対する前記分散型電源側の電圧の位相と前記配電線側の電圧の位相とが同期しているか否かを検出する位相検出部、を備え、
前記第２開閉制御部は、
前記配電線が電力を供給するとともに前記第１開閉器が閉状態であることを前記開閉検出部が検出したときの検出出力と、前記第２開閉器に対する前記分散型電源側の電圧の位相と前記配電線側の電圧の位相とが同期していることを前記位相検出部が検出したときの検出出力とに基づいて、前記第２開閉器を閉状態とする、ことを特長とする請求項７に記載の配電線の遮断制御回路。
【請求項１１】
前記第１開閉制御部は、
前記配電線が供給する電力を元に蓄電する蓄電装置を有し、
前記配電線が電力を供給するときには、前記配電線の電力を電源として動作し、
前記配電線が電力を供給しないときには、前記蓄電装置の電力を電源として動作する、ことを特徴とする請求項７に記載の配電線の遮断制御装置。
【請求項１２】
前記第１開閉制御部は、
前記配電線とは独立した電源を有することを特徴とする請求項７に記載の配電線の遮断制御装置。
【請求項１３】
前記第２開閉制御部は、
前記分散型電源を電源として動作することを特徴とする請求項７に記載の配電線の遮断制御装置。
【請求項１４】
前記第２開閉制御部は、
前記分散型電源とは独立した電源を有することを特徴とする請求項７に記載の配電線の遮断制御装置。
【請求項１５】
前記遮断指示信号は、前記配電線内を電力とともに送信可能な信号であり、
前記第１開閉制御部は、前記配電線内の電力以外の前記遮断指示信号を分離するＰＬＣ(Power Line Communication)モデムを有する、ことを特徴とする請求項７に記載の配電線の遮断制御装置。
【発明の詳細な説明】
【技術分野】
【０００１】
本発明は、分散型電源と配電線との接続及び遮断を制御する配電線の遮断制御装置に関する。
【背景技術】
【０００２】
分散型電源は、工場やビル、一般住宅等の需要家宅に配置され、例えば、太陽光や風力の供給を受けることによって自ら発電を行うことが可能な装置である。これらの分散型電源は比較的小規模な発電容量しか持ってないため、需要家宅等で必要とする電力を賄うことができない場合がある。そこで、変電所からの電力を供給する配電系統と分散型電源とを配電線を介して電気的に接続して、分散型電源の電力が需要家宅で必要とする電力を賄えるときには分散型電源の電力を使用し、分散型電源から供給される電力が需要家宅で必要とする電力に対して不足するときには配電系統の電力を供給してもらうようにしている。このことにより、需要家宅において電力を安定して使用することができるようになる。また、分散型電源の電力が需要家宅で必要とする電力を賄っても余るときには、分散型電源から配電系統に電力を供給する場合もある。このように、分散型電源と配電系統とが電気的に接続して動作することを連系という。
【０００３】
分散型電源が連系している配電系統に例えば事故が発生した場合、事故点の除去および復旧作業のために配電系統の電力の供給を停止させることになる。しかし、たとえ配電系統の電力の供給を停止させても、分散型電源が動作していると分散型電源から配電系統に逆潮流が発生し、復旧作業を行う作業員が感電する恐れがある。ここで、配電系統の電力の供給が停止しているにもかかわらず分散型電源が発電を行い、配電系統と分散型電源とを接続している配電線や、前記配電線に接続された負荷に電力を供給している状態のことを単独運転という。よって、分散型電源と連系している配電系統の電力の供給を停止する時には、分散型電源の単独運転による配電系統への逆潮流を防止するため、分散型電源を配電系統から遮断する必要がある。分散型電源の単独運転時に分散型電源を配電系統から遮断する装置として、分散型電源による単独運転の有無を検出し、分散型電源が単独運転となると、前記配電線を遮断する単独運転検出装置が知られている（例えば特許文献１参照）。また、分散型電源の単独運転時に分散型電源を配電系統から遮断する装置として、例えば電力会社の営業所から送信される遮断指示信号に基づいて、前記配電線を強制的に遮断する転送遮断装置も提案されている。
【０００４】
以下、図３を参照しつつ従来の配電線の遮断制御装置を適用した配電システムの構成例について説明する。図３は従来の配電線の遮断制御装置を適用した配電システムの構成例を示すブロック図である。
【０００５】
図３に示す配電システムは、例えば電力会社の営業所に設けられた情報処理装置１０と、変電所２０からの電力を供給する配電系統１と、需要家宅とによって構成されている。
【０００６】
情報処理装置１０と配電系統１とは、光通信線３１０、通信網３００、配電遠方監視制御装置の子局（以下、遠制子局と略称する）４２を介して通信可能に接続されている。又、情報処理装置１０と需要家宅とは、光通信線３２０、通信網３００、メディア・コンバータ（以下、Ｍ／Ｃと称する）３４、ＰＬＣモデム３３１を介して通信可能に接続されている。ここで、「ＰＬＣ」とは、電力線通信(Power Line Communication)の略称である。
【０００７】
尚、光通信線３１０、３２０は、メタルによる通信線としてもよい。
【０００８】
≪配電系統１≫
図３において配電系統１は変電所２０、高圧配電線２１０、低圧配電線２２０、柱上変圧器４０、柱上開閉器４１によって構成されている。
【０００９】
柱上変圧器４０は、変電所２０からの高圧（例えば６．６ｋＶ）配電線２１０の電圧を降圧し、低圧（例えば２１０Ｖ）配電線２２０を通じて需要家宅へ配電するためのものである。
【００１０】
柱上開閉器４１は、柱上変圧器４０の変電所２０寄りの上流側に設置され、高圧配電線２１０における当該柱上開閉器４１の上流と下流を遮断した状態（以下開状態とする）、又は、当該柱上開閉器４１の上流と下流を接続した状態（以下閉状態とする）とするものである。つまり、柱上開閉器４１が閉状態の場合には、低圧配電線２２０に変電所２０からの電力が供給され、柱上開閉器４１が開状態の場合には、低圧配電線２２０に変電所２０からの電力が供給されなくなる。この柱上開閉器４１の開閉の状態は当該柱上開閉器４１の近傍に設けられた遠制子局４２によって切り替えられる。
【００１１】
≪情報処理装置１０≫
情報処理装置１０は、主として、配電用サーバ１１０と、監視制御用端末１２０と、遮断指示信号伝送装置１３０と、配電遠方監視制御装置の親局（以下、配電遠制親局と略称する）１５０とがＬＡＮ等の通信線１６０により相互に通信可能に接続されて構成されたものである。
【００１２】
配電用サーバ１１０は、主として、遮断指示信号伝送装置１３０や配電遠制親局１５０等を統括管理して制御する機能を有するものである。監視制御用端末１２０は、例えば電力会社の営業所の運転員が配電用サーバ１１０にデータを入力したり、配電用サーバ１１０から出力されたデータを表示したりするための端末である。
【００１３】
配電遠制親局１５０は、配電用サーバ１１０の指示によって、柱上開閉器４１の開閉の状態を指定する制御信号を遠制子局４２に送信することにより、遠制子局４２を介して柱上開閉器４１の開閉の状態を切り替える装置である。
【００１４】
遮断指示信号伝送装置１３０は、これに更に接続されたメディア・コンバータ（以下、Ｍ／Ｃとする）１４０を通じて、後述する分散型電源３４６および分散型電源３５６を配電系統１から遮断するための遮断指示信号を送信する機能を有する装置である。尚、遮断指示信号は、例えば監視用端末１２０から配電用サーバ１１０に入力されるデータに基づいて、配電遠制親局１５０が柱上開閉器４１を開状態に指定する場合に、配電遠制親局１５０からの指示によって発生する信号である。
【００１５】
≪需要家宅≫
需要家宅には、低圧配電線２２０がＰＬＣモデム３３１を介して低圧配電線２３０として引き込まれている。尚、ＰＬＣモデム３３１は、情報処理装置１０から送信される情報信号（例えば遮断指示信号）と、低圧配電線２２０の電力とをともに低圧配電線２３０に送信する機能を有する伝送モデムである。またＰＬＣモデム３３１は需要家宅内のＰＬＣモデム（例えば、ＰＬＣモデム３４０、ＰＬＣモデム３５０）を統括する親局のモデムである。また、ＰＬＣモデム３３１は需要家宅内に設けられていてもよい。
【００１６】
図３は、需要家宅において、複数の発電装置（例えば２つの発電装置３６０、３７０）が低圧配電線２３０に並列に設けられる場合の構成の一例を示している。図３において、発電装置３６０側の構成と発電装置３７０側の構成とは同じであることとする。よって、以下の説明では発電装置３６０側について説明し、発電装置３７０側の説明を省略する。
【００１７】
ＰＬＣモデム３４０は、低圧配電線２３０のうち電力以外の信号（例えば遮断指示信号）を分離し、電力を低圧配電線２３２に送電するものである。また、ＰＬＣモデム３４０は、前記電力以外の信号を転送遮断装置３４８に送信する。
【００１８】
発電装置３６０は、主として開閉器３４２、単独運転検出装置３４４、分散型電源３４６によって構成され、ＰＬＣモデム３４０を介して低圧配電線２３０と接続される。
【００１９】
開閉器３４２は、分散型電源３４６と低圧配電線２３２とを、当該開閉器３４２において、遮断した状態（以下、開状態とする）、又は接続した状態（以下、閉状態とする）とするものである。
【００２０】
分散型電源３４６は、例えば太陽光や風力の供給をうけることによって、自ら発電を行うことが可能な装置であり、低圧配電線２３０に対して、開閉器３４２、低圧配電線２３２、及びＰＬＣモデム３４０を介して接続されている。そして、分散型電源３４６は、低圧配電線２３２、低圧配電線２３０を介することで配電系統１と連系可能となっている。
【００２１】
単独運転検出装置３４４は、例えば低圧配電線２３２と発電装置３６０との接続点の電圧、位相、周波数等を常時監視し、単独運転となった場合にこれらの値が変動することによって単独運転を検出する受動的方式の単独運転検出機能、又は、常時微小な外乱を低圧配電線２３２に与えておき、単独運転時にこの外乱により顕著となる前記接続点の電圧や周波数などの変動によって単独運転を検出する能動的方式の単独運転検出機能を備えている。そして、単独運転検出装置３４４は、配電遠制親局１５０からの指示などにより柱上開閉器４１が開状態となった場合に、分散型電源３４６が単独運転となることを検出し、開閉器３４２を閉状態から開状態に切り替える。
【００２２】
以上述べた構成により、例えば配電系統１に事故が発生することで配電系統１の電力供給を停止する場合、情報処理装置１０の配電遠制親局１５０は遠制子局４２を介して柱上開閉器４１を閉状態から開状態に切り替える。単独運転検出装置３４４は、柱上開閉器４１が開状態となり配電系統１の電力が供給されなくなることによって、分散型電源３４６が単独運転となることを検出すると、開閉器３４２を閉状態から開状態に切り替えて分散型電源を配電系統１から遮断させる。
【００２３】
しかしながら、例えば、配電系統１に対して複数の分散型電源（例えば図３に示すように分散型電源３４６、３５６）が並列に接続されている場合、単独運転検出装置３４４が、分散型電源３４６の単独運転を検出できなくなる恐れがある。
【００２４】
つまり、図３において配電系統１から電力が供給されなくなったときに、開閉器３５２と開閉器３４２がともに閉状態であるとすると、分散型電源３５６で発生する電力が、開閉器３５２、低圧配電線２３６、ＰＬＣモデム３５０、低圧配電線２３０、ＰＬＣモデム３４０、低圧配電線２３２、開閉器３４２を介して分散型電源３４６に供給される場合があり、単独運転検出装置３４４が分散型電源３４６の単独運転を検出できなくなる。同様に、分散型電源３４６で発生する電力が、開閉器３４２、低圧配電線２３２、ＰＬＣモデム３４０、低圧配電線２３０、ＰＬＣモデム３５０、低圧配電線２３６、開閉器３５２を介して分散型電源３５６に供給される場合があり、単独運転検出装置３５４が分散型電源３５６の単独運転を検出できなくなる。その場合、配電系統１による電力の供給が停止しているにもかかわらず、分散型電源３４６及び分散型電源３５６は単独運転を継続してしまう。
【００２５】
このように、配電系統１に対して、分散型電源３４６と分散型電源３５６が並列に接続されている場合、単独運転検出装置３４４が分散型電源３４６の単独運転を検出できない恐れがあり、また単独運転検出装置３５４が分散型電源３５６の単独運転を検出できない恐れがあった。そこで、このような場合の対策として、例えば以下のように転送遮断装置３４８、３５８を用いることによって分散型電源３４６及び分散型電源３５６を配電系統１から遮断させている。
【００２６】
転送遮断装置３４８は、ＰＬＣモデム３４０と開閉器３４２との間の低圧配電線２３２と並列に接続されている。そして、転送遮断装置３４８は、遮断指示信号をＰＬＣモデム３４０から受信すると、強制的に開閉器３４２を開状態とする遮断信号を開閉器３４２に送信する。転送遮断装置３５８は、ＰＬＣモデム３５０と開閉器３５２との間の低圧配電線２３６と並列に接続されている。そして、転送遮断装置３５８は、遮断指示信号をＰＬＣモデム３５０から受信すると、強制的に開閉器３５２を開状態とする遮断信号を開閉器３５２に送信する。
【００２７】
このことにより、単独運転検出装置３４４が分散型電源３４６の単独運転を検出できなかった場合においても、転送遮断装置３４８から送信される遮断信号によって開閉器３４２を開状態とすることができ、また、単独運転検出装置３５４が分散型電源３５６の単独運転を検出できなかった場合においても、転送遮断装置３５８から送信される遮断信号によって開閉器３５２を開状態とすることができる。
【特許文献１】特開２００４−６４８８４号公報
【発明の開示】
【発明が解決しようとする課題】
【００２８】
しかしながら、需要家宅内に引き込まれている低圧配電線２３２と並列に転送遮断装置３４８をＰＬＣモデム３４０と開閉器３４２とに接続するには、低圧配電線２３２とは異なる通信線を新たに設ける必要があり、このことが需要者の負担となっていた。さらに、同図に示す開閉器３４２、単独運転検出装置３４４、分散型電源３４６で構成される発電装置３６０が既設されている状態に転送遮断装置３４８を付設する場合、発電装置３６０の構造によっては、転送遮断装置３４８を容易に設けられない場合があり、例えば発電装置３６０を改造することが必要になる場合がある。特に、発電装置３６０が１つの筐体で覆われている場合には発電装置３６０を分解しなくてはならず、転送遮断装置３４８を開閉器３４２に接続するのは困難であった。
【００２９】
本発明はかかる課題に鑑みてなされたものであり、その目的とするところは、分散型電源と配電線との間を確実に遮断することができる配電線の遮断制御装置を提供することにある。
【課題を解決するための手段】
【００３０】
前記課題を解決するための発明は、分散型電源と接続される配電線の第１位置を遮断又は接続するべく開状態又は閉状態となる第１開閉器と、前記第１開閉器を開状態又は閉状態とする開閉制御部と、前記第１開閉器が開状態又は閉状態の何れであるのかを検出する開閉検出部と、を備え、前記開閉制御部は、遮断指示信号に基づいて前記第１開閉器を開状態とし、前記第１開閉器が開状態となった後、前記分散型電源及び前記配電線の第１位置の間となる前記配電線の第２位置を遮断又は接続するべく開状態又は閉状態となる第２開閉器が開状態から閉状態となるまでの間に、前記第１開閉器が開状態であることを前記開閉検出部が検出したときの検出出力に基づいて前記第１開閉器を閉状態とする、ことを特徴とする。
【００３１】
遮断指示信号に基づいて第１開閉制御部が第１開閉器を開状態とすることで確実に分散型電源を配電線から遮断することができる。さらに、分散型電源や第２開閉器の構造にかかわらず、分散型電源と接続される配電線に遮断制御装置を容易に設けることができる。
【００３２】
また、かかる配電線の遮断制御装置において、前記分散型電源及び前記第２開閉器は複数設けられ、前記遮断制御装置は、前記配電線と前記複数の第２開閉器との間に並列に複数設けられることが好ましい。
【００３３】
また、かかる配電線の遮断制御装置において、前記分散型電源及び前記第２開閉器は、単一のパッケージ内に設けられることが好ましい。
【００３４】
また、かかる配電線の遮断制御装置において、前記開閉制御部は、前記配電線が供給する電力を元に蓄電する蓄電装置を有し、前記配電線が電力を供給するときには、前記配電線の電力を電源として動作し、前記配電線が電力を供給しないときには、前記蓄電装置の電力を電源として動作する、ことが好ましい。
【００３５】
また、かかる配電線の遮断制御装置において、前記開閉制御部は、前記配電線とは独立した電源を有する、ことが好ましい。
【００３６】
また、かかる配電線の遮断制御装置において、前記遮断指示信号は、前記配電線内を電力とともに送信可能な信号であり、前記開閉制御部は、前記配電線内の電力以外の前記遮断指示信号を分離するＰＬＣ(Power Line Communication)モデムを有する、ことが好ましい。
【００３７】
また、前記課題を解決するための発明は、配電線と接続される分散型電源と、前記配電線の第１位置を遮断又は接続するべく開状態又は閉状態となる第１開閉器と、前記分散型電源及び前記配電線の第１位置の間となる前記配電線の第２位置を遮断又は接続するべく開状態又は閉状態となる第２開閉器と、前記第１開閉器を開状態又は閉状態とする第１開閉制御部と、前記第２開閉器を開状態又は閉状態とする第２開閉制御部と、前記第１開閉器及び前記第２開閉器が開状態又は閉状態の何れであるのかを検出する開閉検出部と、を備え、前記第１開閉制御部は、遮断指示信号に基づいて前記第１開閉器を開状態とし、前記第２開閉制御部は、前記第１開閉器が開状態であることを前記開閉検出部が検出したときの検出出力に基づいて、前記第２開閉器を開状態とし、前記第１開閉制御部は、前記第１開閉器及び前記第２開閉器がともに開状態であることを前記開閉検出部が検出したときの検出出力に基づいて、前記第１開閉器を閉状態とし、前記第２開閉制御部は、前記配電線が電力を供給するとともに前記第１開閉器が閉状態であることを前記開閉検出部が検出したときの検出出力に基づいて、前記第２開閉器を閉状態とする、ことを特徴とする。
【００３８】
遮断指示信号に基づいて第１開閉制御部が第１開閉器を開状態とし、第１開閉器が開状態となると第２開閉制御部が第２開閉器を開状態とすることによって、配電線に分散型電源が複数接続されている場合でも、確実に分散型電源を配電線から遮断することができる。
【００３９】
また、かかる配電線の遮断制御装置において、前記遮断制御装置は、前記配電線に並列に複数設けられることが好ましい。
【００４０】
また、かかる配電線の遮断制御装置において、前記遮断制御装置を構成する前記分散型電源、前記第２開閉器、及び前記第２開閉制御部が、単一のパッケージ内に設けられることが好ましい。
【００４１】
また、かかる配電線の遮断制御装置において、前記第２開閉器に対する前記分散型電源側の電圧の位相と前記配電線側の電圧の位相とが同期しているか否かを検出する位相検出部、を備え、前記第２開閉制御部は、前記配電線が電力を供給するとともに前記第１開閉器が閉状態であることを前記開閉検出部が検出したときの検出出力と、前記第２開閉器に対する前記分散型電源側の電圧の位相と前記配電線側の電圧の位相とが同期していることを前記位相検出部が検出したときの検出出力とに基づいて、前記第２開閉器を閉状態とする、ことが好ましい。
【００４２】
また、かかる配電線の遮断制御装置において、前記第１開閉制御部は、前記配電線が供給する電力を元に蓄電する蓄電装置を有し、前記配電線が電力を供給するときには、前記配電線の電力を電源として動作し、前記配電線が電力を供給しないときには、前記蓄電装置の電力を電源として動作する、ことが好ましい。  
また、かかる配電線の遮断制御装置において、前記第１開閉制御部は、前記配電線とは独立した電源を有する、ことが好ましい。
【００４３】
また、かかる配電線の遮断制御装置において、前記第２開閉制御部は、前記分散型電源を電源として動作することが好ましい。  
また、かかる配電線の遮断制御装置において、前記第２開閉制御部は、前記分散型電源とは独立した電源を有することが好ましい。
【００４４】
また、かかる配電線の遮断制御装置において、前記遮断指示信号は、前記配電線内を電力とともに送信可能な信号であり、前記第１開閉制御部は、前記配電線から電力以外の前記遮断指示信号を分離するＰＬＣ(Power Line Communication)モデムを有する、ことが好ましい。
【発明の効果】
【００４５】
本発明によれば、分散型電源と配電線との間を確実に遮断することができる。
【発明を実施するための最良の形態】
【００４６】
本明細書及び添付図面の記載により、少なくとも以下の事項が明らかとなる。
【００４７】
＝＝＝遮断制御装置を適用した配電システムの構成例＝＝＝
図１を参照しつつ、本発明の配電線の遮断制御装置を適用した配電システムの構成例について説明する。図１は、本発明の配電線の遮断制御装置を適用した配電システムの構成の一例を示すブロック図である。図１は、需要家宅に複数の発電装置（例えば２つの発電装置４０４、４０６）が設けられた場合の構成の一例を示すものである。尚、図１において図３と同一構成の部分には同一符号を付し、説明を省略する。
【００４８】
需要家宅には、ＰＬＣモデム３３１を介して低圧配電線２３０が引き込まれている。発電装置４０４は、転送遮断装置４００を介して低圧配電線２３０に接続され、また、発電装置４０６は転送遮断装置４０２を介して低圧配電線２３０に接続されている。尚、本実施の形態では、低圧配電線２３０に発電装置４０４と発電装置４０６とが並列に接続されることとするが、３つ以上の発電装置が低圧配電線２３０に並列に設けられていてもよい。その場合、複数の発電装置に対応して転送遮断装置が設けられることとなる。
【００４９】
また、本実施の形態では、転送遮断装置４００と転送遮断装置４０２、及び、発電装置４０４と発電装置４０６とは、それぞれ同じ構成であることとする。よって、以下の説明では、転送遮断装置４００と発電装置４０４について説明し、転送遮断装置４０２と発電装置４０６の説明を省略する。
【００５０】
≪転送遮断装置４００≫
転送遮断装置４００は、開閉器２４０、開閉制御装置２４２、電圧検出装置２４４を有している。
【００５１】
開閉器２４０（第１開閉器）は、後述する開閉器２４６よりも配電系統１の低圧配電線２３０側に設けられており、当該開閉器２４０の設置位置（第１位置）において、低圧配電線２３０を遮断した状態（以下、開状態とする）又は接続した状態（以下、閉状態とする）とするものである。
【００５２】
開閉制御装置（請求項１、４、５、６の開閉制御部、及び請求項７、１１、１２、１５の第１開閉制御部）２４２は、開閉器２４０に対する配電系統１側（Ａ点とする）の低圧配電線２３０に接続されている。また、開閉制御装置２４２は、低圧配電線２３０内の電力以外の信号（例えば遮断指示信号）を分離するＰＬＣモデム２４３を有している。開閉制御装置２４２は、ＰＬＣモデム２４３から遮断指示信号を受信した場合、遮断指示信号に基づいて、開閉器２４０を開状態とする遮断信号を開閉器２４０に送信する。尚、開閉制御装置２４２は、低圧配電線２３０による電力の供給の有無にかかわらず動作することができるものである。例えば、開閉制御装置２４２は、低圧配電線２３０が供給を行う電力を元に充電を行うコンデンサ（不図示）等の蓄電装置を有しており、低圧配電線２３０に電力が供給される場合は、低圧配電線２３０の電力を電源として動作し、低圧配電線２３０に電力が供給されていない場合は、例えばコンデンサの充電電荷を電源として動作する。あるいは、開閉制御装置２４２は、低圧配電線２３０とは独立した電源（例えば電池）を内蔵していてもよい。
【００５３】
電圧検出装置２４４は、開閉器２４０が開状態である場合に、開閉器２４０に対する分散型電源２５０側（以下Ｂ点とする）の電圧の有無を検出することにより開閉器２４６が開状態であるか否かを検出し、当該検出結果を開閉制御装置２４２に出力するものである。
【００５４】
≪発電装置４０４≫
発電装置４０４は、開閉器２４６、単独運転検出装置２４８、分散型電源２５０を有している。
【００５５】
分散型電源２５０は、例えば太陽光や風力の供給をうけることによって、自ら発電することが可能な装置であり、開閉器２４６及び開閉器２４０を介して低圧配電線２３０に接続されている。そして、分散型電源２５０は、低圧配電線２３０を介することによって配電系統１と連系可能となっている。
【００５６】
開閉器２４６（第２開閉器）は、開閉器２４０と分散型電源２５０との間の低圧配電線２３０に設置され、当該開閉器２４６の設置位置（第２位置）において分散型電源２５０と低圧配電線２３０とを開状態又は閉状態とするものである。
【００５７】
単独運転検出装置（第２開閉制御部）２４８は、例えば開閉器２４６に対する配電系統１側（以下Ｃ点とする）の電圧、位相、周波数等を常時監視し、単独運転となった場合にこれらの値が変動することによって単独運転を検出する受動的方式の単独運転検出機能、又は、常時微小な外乱をＣ点に与えておき、単独運転時にこの外乱により顕著となる前記接続点の電圧や周波数などの変動によって単独運転を検出する能動的方式の単独運転検出機能を有している。そして、単独運転検出装置２４８は、分散型電源２５０が単独運転となることを検出した場合、開閉器２４６を開状態とする。また、単独運転検出装置２４８は、開閉器２４６に対する分散型電源２５０側（以下、Ｄ点とする）の電圧と、Ｃ点の電圧の位相を検出する位相検出部（不図示）を備えている。そして、単独運転検出装置２４８は、開閉器２４０が閉状態及び開閉器２４６が開状態である場合において、柱上開閉器４１が閉状態となることで低圧配電線２３０に電力が供給されると、Ｃ点とＤ点の電圧が同期していることを示す位相検出部の出力に基づいて、開閉器２４６を開状態から閉状態に切り替える。尚、Ｃ点の電圧とＤ点の電圧とが同期しているか否かは、例えば、位相検出部においてＣ点とＤ点の電圧の取り込みの極性を反対に設定しておき、取り込んだＣ点の電圧の位相とＤ点の電圧の位相とを合成した値が０であるか否かで検出できる。この場合Ｃ点の電圧の位相とＤ点の電圧の位相とを合成した値が０であれば同期であり、０以外であれば非同期となる。また、単独運転検出装置２４８は、低圧配電線２３０による電力の供給にかかわらず動作することができるものとする。例えば、単独運転検出装置２４８は、分散型電源２５０を電源として動作するものであってもよいし、分散型電源２５０とは独立した電源（例えば電池）を内蔵していてもよい。
【００５８】
本実施の形態では、電圧検出装置２４４は請求項１の開閉検出部を構成している。また、電圧検出装置２４４と単独運転検出装置２４８は、請求項７の開閉検出部を構成している。尚、請求項７の開閉検出部は電圧検出装置２４４と単独運転検出装置２４８の一部を用いることとしてもよいし、電圧検出装置２４４のみとしてもよい。例えば、開閉器２４０と開閉器２４６とがともに開状態でＢ点に電圧が発生していない状態から、開閉器２４０が閉状態となり配電系統１からの電力が供給されるとＢ点に電圧が発生するため、このとき開閉器２４０が閉状態であり、開閉器２４６が開状態であると検出することができる。このように、Ｂ点における電圧の変化によって、電圧検出装置２４４で開閉器２４０および開閉器２４６の開閉の状態の変化を検出することが可能である。
【００５９】
また、転送遮断装置４００、及び、転送遮断装置４０２は請求項１乃至６の配電線の遮断制御装置を構成している。また、転送遮断装置４００と発電装置４０４、及び、転送遮断装置４０２と発電装置４０６は、請求項７乃至１５の配電線の遮断制御装置を構成している。
【００６０】
＝＝＝遮断制御装置の動作＝＝＝
次に図１及び図２を参照しつつ、本発明の配線の遮断制御装置による分散型電源と配電系統との接続および遮断の動作について説明する。図２は、本発明の配線の遮断制御装置による分散型電源と配電系統との接続および遮断の動作を説明するためのフローチャートである。
【００６１】
まず、説明の便宜上、分散型電源２５０と配電系統１とが電気的に接続されている状態であることとする。この場合、開閉器２４０と開閉器２４６は、ともに閉状態となっている（Ｓ２００）。
【００６２】
配電系統１の事故などによって配電遠制親局１５０が柱上開閉器４１を開状態に指定するのに伴い、配電遠制親局１５０からの指示によって遮断指示信号が遮断信号伝送装置１３０から送信される。遮断指示信号は、ＰＬＣモデム３３１で低圧配電線２２０の電力とともに低圧配電線２３０に送信され、ＰＬＣモデム２４３によって電力と分離される。そして開閉制御装置２４２は、ＰＬＣモデム２４３から遮断指示信号を受信する（Ｓ２０１）。
【００６３】
開閉制御装置２４２は、遮断指示信号を受信することによって、開閉器２４０を開状態とする遮断信号を開閉器２４０に送信し、開閉器２４０を閉状態から開状態に切り替える（Ｓ２０２）。
【００６４】
単独運転検出装置２４８は、開閉器２４０が開状態となることなどにより、分散型電源２５０が単独運転となることを検出する（Ｓ２０３）。そして、単独運転検出装置２４８は、当該検出結果に基づいて開閉器２４６を閉状態から開状態となるように指示する（Ｓ２０４）。
【００６５】
次に、Ｂ点に電圧が発生しているか否か、すなわち、開閉器２４０及び開閉器２４６がともに開状態であるか否かの判別が電圧検出装置２４４によって行われる（Ｓ２０５）。万一、開閉器２４６が装置の異常などで開状態となっていない、又は開閉器２４６の切り替えに時間がかかる等によりＢ点に電圧が発生している場合（Ｓ２０５：Ｎｏ）は、Ｂ点の電圧を確認するステップＳ２０５を再度実行する。Ｂ点に電圧が発生していないこと（Ｓ２０５：Ｙｅｓ）、つまり開閉器２４０及び開閉器２４６がともに開状態であること、を電圧検出装置２４４が検出すると、開閉制御装置２４２は、電圧検出装置２４４の検出結果に基づいて開閉器２４０を開状態から閉状態に切り替える（Ｓ２０６）。その後、配電系統１が復旧し、柱上開閉器４１が閉状態となると、開閉器２４０が閉状態であるためＣ点に電圧が発生し、単独運転検出装置２４８は開閉器２４０が閉状態であることを検出する。そして、単独運転検出装置２４８の位相検出部（不図示）によって、Ｃ点の電圧とＤ点の電圧とが同期しているか否かの判別が行われる（Ｓ２０７）。Ｃ点の電圧とＤ点の電圧が同期していない場合（Ｓ２０７：Ｎｏ）は、ステップＳ２０７を再度実行する。尚、ステップＳ２０７を所定回数繰り返してもＣ点の電圧とＤ点の電圧が同期していない場合に、例えばＣ点の電圧とＤ点の電圧とを同期させるべく分散型電源２５０の電源電圧の位相を合わせ込む手段を備えてもよい。Ｃ点の電圧とＤ点の電圧が同期している場合（Ｓ２０７：Ｙｅｓ）、単独運転検出装置２４８は、開閉器２４０が閉状態である検出結果と、Ｃ点の電圧とＤ点の電圧が同期していることを示す位相検出部の検出出力に基づいて、開閉器２４６を開状態から閉状態に切り替え、ステップＳ２００に戻る。このことにより、Ｃ点の電圧とＤ点の電圧が非同期のまま開閉器２４６が閉状態となることによるショートを防止することができる。
【００６６】
尚、本実施の形態では、前述のように開閉制御装置２４２は、例えば低圧配電線２３０の電力を元に充電を行うコンデンサ、又は、低圧配電線２３０とは独立した電源を備えている。このことにより、低圧配電線２３０に電力が供給されていない場合でも、開閉制御装置２４２は、前記コンデンサの充電電荷又は前記電源の電力によって動作することができる。よって、ステップＳ２０６において、低圧配電線２３０に電力が供給されるか否かにかかわらず、開閉器２４６が開状態となったことが検出されると開閉器２４０を閉状態から閉状態に切り替えることができる。
【００６７】
また、単独運転検出装置２４８は、分散型電源２５０を電源とするか、あるいは分散型電源２５０とは独立した電源を有している。このことにより、ステップＳ２０４において、開閉器２４０が開状態であっても、開閉器２４６を閉状態から開状態に切り替えることができる。
【００６８】
また、本実施の形態では、開閉制御装置２４２はＰＬＣモデム２４３を内蔵しており、ＰＬＣ機能によって低圧配電線２３０内の電力とともに送信される遮断指示信号を受信することができる。よって需要家宅に新たに遮断指示信号を受信するための通信線を設けなくてもよい。
【００６９】
以上説明したように、本発明の配電線の遮断装置は、配電系統１の電力が供給される低圧配電線２３０に分散型電源２５０と分散型電源２７０が並列に接続されている場合でも、遮断指示信号によって開閉器２４０、２６０を開状態とすることによって、分散型電源２５０、２７０を配電系統１から確実に遮断することができる。また、転送遮断装置４００は、発電装置４０４の構造にかかわらず、発電装置４０４から導出される低圧配電線２３０に接続すればよいので、容易に設置することができる。特に、開閉器２４６、単独運転検出装置２４８、分散型電源２５０で構成される発電装置４０４が１つの筐体（パッケージ）内に構成されている場合においても、筐体を分解することなく転送遮断装置４００を設置することができる。
【００７０】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【００７１】
【図１】本発明の配電線の遮断制御装置を適用した配電システムの構成の一例を示すブロック図である。
【図２】本発明の配線の遮断制御装置による分散型電源と配電系統との接続および遮断の動作を説明するためのフローチャートである。
【図３】従来の配電線の遮断制御装置を適用した配電システムの構成例を示すブロック図である。
【符号の説明】
【００７２】
１０    情報処理装置                ２０    変電所
４０    柱上変圧器                  ４１    柱上開閉器
４２    遠制子局                    ３４、１４０  Ｍ／Ｃ
１１０  配電用サーバ                １２０  監視制御用端末
１３０  遮断指示信号伝送装置        １５０  配電遠制親局
１６０  通信線                      ２１０  高圧配電線
２２０、２３０、２３２、２３６  低圧配電線
２４０、２４６、２６０、２６６  開閉器
２４２、２６２  開閉制御装置        ２４３、２６３  ＰＬＣモデム
２４４、２６４  電圧検出装置        ２４８、２６８  単独運転検出装置
２５０、２７０  分散型電源          ３００  通信網
３１０、３２０  光通信線            ３３１、３４０、３５０  ＰＬＣモデム
３４２、３５２  開閉器              ３４４、３５４  単独運転検出装置
３４６、３５６  分散型電源          ３４８、３５８  転送遮断装置
３６０、３７０  発電装置            ４００、４０２  転送遮断装置
４０４、４０６  発電装置
【図１】
2007037224.tif 000003
【図２】
2007037224.tif 000004
【図３】
2007037224.tif 000005